(57)【要約】【課題】乾燥およびしわ伸ばしの性能が高まり得る衣類処理装置を提供する。【解決手段】衣類処理装置１は、衣類が吊られた状態で収容される収容室２００と、収容室２００内に温風を供給する第１供給ユニットと、収容室２００内にスチームを供給する第２供給ユニットと、収容室２００内の空気を吸い込んで収容室２００内に吹き出させ、吹き出した空気を吊られた衣類に向かわせる空気循環ユニット６００と、を備える。空気循環ユニット６００は、吸込口６１５から吸い込んだ空気を吐出口６１６から吹き出させる循環ファン６１０と、吐出口６１６から吹き出した空気に接触して、当該空気を偏向させるルーバー６２１と、空気の偏向角度が変わるようにルーバー６２１を揺動させるルーバーモータ６２２と、を含む。【選択図】図６
2020103367.tif 000002
【特許請求の範囲】
【請求項１】
衣類が吊られた状態で収容される収容室と、
前記収容室内に温風を供給する温風供給部と、
前記収容室内にスチームを供給するスチーム供給部と、
前記収容室内の空気を吸い込んで前記収容室内に吹き出させ、吹き出した空気を吊られた衣類に向かわせる空気循環部と、を備え、
前記空気循環部は、
吸気口から吸い込んだ空気を吐出口から吹き出させる循環ファンと、
前記吐出口から吹き出した空気に接触して、当該空気を偏向させる偏向部材と、
空気の偏向角度が変わるように前記偏向部材を揺動させる駆動部と、を含む、
ことを特徴とする衣類処理装置。
【請求項２】
請求項１に記載の衣類処理装置において、
前記収容室内にオゾンを供給するオゾン供給部を、さらに備える、
ことを特徴とする衣類処理装置。
【請求項３】
請求項１または２に記載の衣類処理装置において、
前記収容室には、衣類を吊られた状態に保持するための保持部が設けられ、
前記循環ファンは、円筒状に配されたランナーを有し軸方向の寸法が径方向の寸法よりも大きなファンを含むクロスフローファンとされ、前記ファンの軸方向が前記保持部により吊られた衣類の前後方向と交差する向きで前記収容室の底部に配される、
ことを特徴とする衣類処理装置。
【請求項４】
請求項１ないし３の何れか一項に記載の衣類処理装置において、
前記吸込口は、前記収容室の底面に接近した位置において当該底面に沿う方向に開口し、
前記循環ファンには、前記吸込口と前記ファンとの間に、埃を捕集するためのフィルタが設けられる、
ことを特徴とする衣類処理装置。
【請求項５】
請求項４に記載の衣類処理装置において、
前記吸込口の下端は、前記収容室の底面より高くされ、
前記吸込口の前方には、前記収容室の底面から前記吸込口の下端へ向かって上る傾斜面を有する傾斜部が設けられる、
ことを特徴とする衣類処理装置。
【発明の詳細な説明】
【技術分野】
【０００１】
本発明は、衣類に乾燥、しわ伸ばし等の処理を施す衣類処理装置に関する。
【背景技術】
【０００２】
従来、収容部内において衣類を吊り下げ、その衣類を温風により乾燥したり、その衣類のしわをスチームにより伸ばしたりすることができる衣類処理装置が知られている。このような衣類処理装置の一例が、たとえば、特許文献１に記載されている。
【先行技術文献】
【特許文献】
【０００３】
【特許文献１】特開２０１８−０５７４１３号公報
【発明の概要】
【発明が解決しようとする課題】
【０００４】
上記の衣類処理装置では、温風と衣類との接触効率が悪いと、乾燥効率が悪くなるので乾燥性能が高めることが難しくなる。そこで、乾燥性能が高めるためには、温風と衣類との接触効率を良くすることが求められ得る。
【０００５】
また、上記の衣類処理装置では、スチームが当てられた衣類の表面が、衣類の自重によって伸ばされることにより、衣類のしわが除去されるが、衣類の表面が伸ばされるような更なる力を衣類に作用させることができれば、しわ伸ばしの性能が高まり得る。
【０００６】
そこで、本発明は、乾燥およびしわ伸ばしの性能が高まり得る衣類処理装置を提供することを目的とする。
【課題を解決するための手段】
【０００７】
本発明の主たる態様に係る衣類処理装置は、衣類が吊られた状態で収容される収容室と、前記収容室内に温風を供給する温風供給部と、前記収容室内にスチームを供給するスチーム供給部と、前記収容室内の空気を吸い込んで前記収容室内に吹き出させ、吹き出した空気を吊られた衣類に向かわせる空気循環部と、を備える。ここで、前記空気循環部は、吸気口から吸い込んだ空気を吐出口から吹き出させる循環ファンと、前記吐出口から吹き出した空気に接触して、当該空気を偏向させる偏向部材と、空気の偏向角度が変わるように前記偏向部材を揺動させる駆動部と、を含む。
【０００８】
上記の構成によれば、衣類を乾燥する際には、温風供給部により収容室内に温風が供給されるが、この際に、空気循環部を動作させることができる。この場合、温風の供給により温まった収容室内の空気が吸込口から取り込まれ、温風として吐出口から吹き出す。吹き出した温風は、偏向部材で偏向されて衣類へと向かう。このとき、偏向部材が揺動することにより温風の偏向角度が変化するため、衣類には、様々な方向から温風が接触するようになる。これにより、衣類への温風の接触効率が良くなり、衣類が乾きやすくなる。
【０００９】
しかも、衣類に様々な方向から温風が接触する、即ち、温風により衣類が押される方向が変化することで、吊られた衣類が揺らされる。これにより、衣類の袖と胴体との間など、衣類が静止した状態では行き渡りにくい部分に、温風を行き渡らせることができる。また、衣類に付着した埃が落ちやすくなる。
【００１０】
また、衣類のしわを伸ばす際には、スチーム供給部により収容室内にスチームが供給されるが、この際に、空気循環部を動作させることができる。この場合、収容室内の空気が吸込口から取り込まれ、風として吐出口から吹き出す。吹き出した風は、揺動する偏向部材で偏向されることにより、様々な方向から衣類に接触し、衣類を揺らす。衣類が吊られた状態で揺れると、衣類に遠心力等の力が加わりやすくなる。これにより、スチームが当てられた衣類の表面が伸ばされやすくなるので、衣類のしわが伸びやすくなる。また、衣類が揺らされることで、衣類に付着した埃が落ち得る。
【００１１】
さらに、衣類のしわを伸ばす際に、収容室にスチームが供給される前に空気循環部を動作させることができる。この場合、スチームにより衣類が濡れる前に衣類が揺らされるので、衣類から埃が落ちやすくなる。
【００１２】
本態様に係る衣類処理装置において、前記収容室内にオゾンを供給するオゾン供給部を、さらに備えるような構成が採られ得る。
【００１３】
上記の構成によれば、衣類を脱臭する際には、オゾン供給部により収容室内に温風が供給されるが、この際に、空気循環部を動作させることができる。この場合、収容室内のオゾンを含む空気が吸込口から取り込まれ、オゾン風として吐出口から吹き出す。吹き出したオゾン風は、揺動する偏向部材で偏向されることにより、様々な方向から衣類に接触する。これにより、衣類へのオゾン風の接触効率が良くなり、衣類が脱臭されやすくなる。また、衣類が揺らされることにより、衣類が静止した状態では行き渡りにくい衣類の部分にオゾンを行き渡らせることができ、また、衣類に付着した埃が落ちやすくなる。
【００１４】
本態様に係る衣類処理装置において、前記収容室には、衣類を吊られた状態に保持するための保持部が設けられ得る。この場合、前記循環ファンは、円筒状に配されたランナーを有し軸方向の寸法が径方向の寸法よりも大きなファンを含むクロスフローファンとされ、前記ファンの軸方向が前記保持部により吊られた衣類の前後方向と交差する向きで前記収容室の底部に配される。
【００１５】
上記の構成によれば、衣類の左右方向、即ち幅方向に広くなるように、衣類へ風を向かわせることができるので、衣類により良く風を接触させることができ、衣類をより良く乾燥させたり、衣類のしわをより良く伸ばしたりすることができる。
【００１６】
本態様に係る衣類処理装置において、前記吸込口は、前記収容室の底面に接近した位置において当該底面に沿う方向に開口するような構成とされ得る。この場合、前記循環ファンには、前記吸込口と前記ファンとの間に、埃を捕集するためのフィルタが設けられる。
【００１７】
上記の構成によれば、収容室の底面に落ちた埃が、収容室の底面に沿って吸気口へと流れる空気とともに吸気口に吸い込まれやすく、吸込口に設けられたフィルタに捕集されやすい。よって、収容室の底面に埃が溜まった状態になりにくくなる。
【００１８】
上記の構成とされた場合、さらに、前記吸込口の下端は、前記収容室の底面より高くされ得る。この場合、前記吸込口の前方には、前記収容室の底面から前記吸込口の下端へ向かって上る傾斜面を有する傾斜部が設けられる。
【００１９】
上記の構成によれば、循環ファンが、吸込口の下端が収容室の底面より高くなる構成とされても、収容室の底面の埃が傾斜部の傾斜面を移動して円滑に吸気口に取り込まれる。
【発明の効果】
【００２０】
本発明によれば、乾燥およびしわ伸ばしの性能が高まり得る衣類処理装置を提供できる。
【００２１】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２２】
【図１】図１（ａ）は、実施の態様に係る、衣類処理装置の正面図であり、図１（ｂ）は、実施の態様に係る、衣類処理装置の右側面図である。
【図２】図２は、実施の態様に係る、第１供給ユニットの位置で切断した、衣類処理装置の正面断面図である。
【図３】図３は、実施の態様に係る、第２供給ユニットの位置で切断した、衣類処理装置の正面断面図である。
【図４】図４（ａ）および（ｂ）は、実施の態様に係る、排気フィルタユニットの位置で切断した、衣類処理装置の平面断面図である。
【図５】図５は、実施の形態に係る、第１供給ユニットの吸気ダクトの位置で切断した、衣類処理装置の要部の側面断面図である。
【図６】図６は、実施の形態に係る、空気循環ユニットの前方位置で切断した、衣類処理装置の要部の正面断面図である。
【図７】図７は、実施の形態に係る、衣類処理装置の要部の側面断面図である。
【図８】図８は、実施の形態に係る、衣類処理装置の構成を示すブロック図である。
【図９】図９は、実施の形態に係る、衣類処理装置の運転制御を示すフローチャートである。
【図１０】図１０は、変更例１に係る、空気循環ユニットの前方位置で切断した、衣類処理装置の要部の正面断面図である。
【図１１】図１１は、変更例１に係る、衣類処理装置の要部の側面断面図である。
【図１２】図１２は、変更例１に係る、衣類処理装置の運転制御を示すフローチャートである。
【発明を実施するための形態】
【００２３】
以下、本発明の実施の形態について、図面を参照して説明する。
【００２４】
図１（ａ）は、衣類処理装置１の正面図であり、図１（ｂ）は、衣類処理装置１の右側面図である。図２は、第１供給ユニット３００の位置で切断した、衣類処理装置１の正面断面図である。図２では、第２供給ユニット４００および空気循環ユニット６００の図示が省略されている。図３は、第２供給ユニット４００の位置で切断した、衣類処理装置１の正面断面図である。図４（ａ）および（ｂ）は、排気フィルタユニット２７０の位置で切断した、衣類処理装置１の平面断面図である。図４（ｂ）では、カバー２４０が取り外されている。図３、図４（ａ）および（ｂ）では、空気循環ユニット６００の図示が省略されている。図５は、第１供給ユニット３００の吸気ダクト３５０の位置で切断した、衣類処理装置１の要部の側面断面図である。図６は、空気循環ユニット６００の前方位置で切断した、衣類処理装置１の要部の正面断面図である。図７は、衣類処理装置１の要部の側面断面図である。なお、図２には、オゾンを含む空気および温風の流れが実線矢印で示されている。また、図３には、スチームの流れが実線矢印で示されており、結露水の流れが破線矢印で示されている。さらに、図５には、外部の空気の流れが実線矢印で示されている。さらに、図６および図７には、循環する空気の流れが実線矢印や破線矢印で示されている。
【００２５】
衣類処理装置１は、縦長の直方体形状を有する筐体１００を備える。筐体１００の外底面には、４つの角部に脚１１０が設けられる。筐体１００の内部には、スーツ、コート等の各種の衣類が吊られた状態で収容される収容室２００が配される。収容室２００は、縦長の直方体形状を有する。また、筐体１００の内部には、収容室２００の下方に、収容室２００に温風とオゾンとを供給可能な第１供給ユニット３００と、収容室２００にスチームを供給可能な第２供給ユニット４００とが配される。第１供給ユニット３００は、本発明の温風供給部およびオゾン供給部に相当し、第２供給ユニット４００は、本発明のスチーム供給部に相当する。
【００２６】
収容室２００の前面は、衣類の投入口２０１として開口する。筐体１００の前面は、投入口２０１に対応する部分が開口する。筐体１００の前面には、ドア５００が設けられる。ドア５００は、筐体１００の前面とほぼ同じ大きさを有する。投入口２０１がドア５００により覆われる。ドア５００の右端部は図示しないヒンジ部により筐体１００と連結されており、ヒンジ部を支点にしてドア５００を前方へ開くことができる。
【００２７】
収容室２００の内部には、底部の後端部に、空気循環ユニット６００が配置される。空気循環ユニット６００は、収容室２００内の空気を吸い込んで収容室２００内に吹き出させ、吹き出した空気を吊られた衣類に向かわせる。
【００２８】
図２、図４（ａ）および（ｂ）を参照し、収容室２００には、底面の中央部に、第１供給口２１０と第２供給口２２０が、互いに隣接するように設けられる。第１供給口２１０および第２供給口２２０は、両側に直線部分を有するほぼ半円形の筒状を有する。第１供給口２１０の円弧状部２１１と第２供給口２２０の円弧状部２２１は、上方から見て、互いに反対方向に湾曲する。これにより、第１供給口２１０と第２供給口２２０とを合わせた形状が、図４（ａ）の一点鎖線のような円形に近い形状となる。第１供給口２１０と第２供給口２２０との間には僅かに隙間が設けられており、この隙間に取付穴２３１を有する取付ボス２３０が設けられる。
【００２９】
第１供給口２１０および第２供給口２２０の上方には、これらを覆うように、カバー２４０が配置される。カバー２４０は、円盤状の天面部２４１と、天面部２４１の周縁から下斜め方向に延びる周面部２４２とを含む。天面部２４１は、第１供給口２１０と第２供給口２２０とを合わせた大きさよりも大きい。天面部２４１の裏面中央には、下方に突出する軸２４３が形成される。カバー２４０の天面部２４１と第１供給口２１０および第２供給口２２０との間に所定の隙間ができるように、軸２４３が取付ボス２３０の取付穴２３１に取り付けられる。カバー２４０の周面部２４２には、全周に亘って、複数の排出孔２４４が形成される。排出孔２４４は、カバー２４０の径方向に長い方形状を有し、第１供給口２１０および第２供給口２２０の周囲、即ち、カバー２４０における第１供給口２１０および第２供給口２２０の投影領域よりも外側に位置する。これにより、衣類から落ちた埃や異物が、排出孔２４４を通じて第１供給口２１０や第２供給口２２０に侵入しづらくなる。カバー２４０の外周縁と収容室２００の底面との間には、所定の隙間が設けられる。
【００３０】
収容室２００の天面には、左右における中央部に、ハンガー台２５０が設けられる。ハンガー台２５０は、前後方向に延びるポール２５１と、ポール２５１の前後の端部を収容室２００の天面から支持する支持板２５２とを含む。衣類が掛けられたハンガーが、ハンガー台２５０のポール２５１に掛けられる。このように、衣類は、ハンガー台２５０によって、収容室２００の天面から吊られた状態に保持される。ハンガー台２５０は、本発明の保持部に相当する。
【００３１】
収容室２００の後面には、上部に排気口２０２が形成される。本実施の形態では、排気口２０２が収容室２００の後面の右端部に設けられているが、中央部や左端部に設けられてもよい。排気口２０２には排気ダクト２６０が繋がっており、排気ダクト２６０は筐体１００の後面から外部に露出する。
【００３２】
排気口２０２には、着脱可能に排気フィルタユニット２７０が装着される。排気フィルタユニット２７０は、オゾン除去フィルタ２７１と、オゾン除去フィルタ２７１が収容されるフィルタカバー２７２とを含む。オゾン除去フィルタ２７１には、活性炭・触媒フィルタが用いられ得る。フィルタカバー２７２には、複数の排気窓２７３が設けられる。
【００３３】
図２および図５を参照し、第１供給ユニット３００は、第１供給ダクト３１０と、オゾン発生器３２０と、加熱器３３０と、送風ファン３４０と、吸気ダクト３５０と、オゾン除去フィルタ３６０とを含む。
【００３４】
第１供給ダクト３１０は、その導入口３１１が送風ファン３４０の吐出口３４２に接続され、その導出口３１２が第１供給口２１０の入口に接続される。第１供給ダクト３１０内の導入口３１１の近傍にオゾン発生器３２０が配置される。第１供給ダクト３１０は、導入口３１１から左方に延び、オゾン発生器３２０の配置位置を過ぎた部分から右方に折り返されるように湾曲した後、上方に延びて第１供給口２１０へと至るような形状を有する。
【００３５】
オゾン発生器３２０は、放電方式のオゾン発生器であり、一対の電極間にコロナ放電、無声放電等の放電を生じさせ、一対の電極間に通された空気からオゾンを生成する。加熱器３３０は、第１供給ダクト３１０内において、オゾン発生器３２０よりも第１供給口２１０側に配置され、第１供給ダクト３１０内を流れる空気を加熱する。加熱器３３０として、たとえば、ＰＴＣヒータを用いることができる。
【００３６】
送風ファン３４０は、遠心ファンであり、側面に吸込口３４１が設けられ、周面に吐出口３４２が設けられる。送風ファン３４０は、吸込口３４１から空気を取り込み、取り込んだ空気を第１供給ダクト３１０内のオゾン発生器３２０へ送る。送風ファン３４０として、遠心ファン以外のファン、たとえば、軸流ファンが用いられても良い。
【００３７】
筐体１００の正面には、送風ファン３４０の吸込口３４１と対向する位置に吸気口１０１が形成される。吸気口１０１と吸込口３４１との間に吸気ダクト３５０が設けられる。
【００３８】
吸気ダクト３５０は、前面が開口するフィルタケース３５１と、フィルタケース３５１から後方へ延びる接続ダクト３５２とを含む。フィルタケース３５１は、筐体１００の吸気口１０１に接続される。接続ダクト３５２は、送風ファン３４０の吸込口３４１に接続される。接続ダクト３５２は、連通孔３５３によりフィルタケース３５１と繋がる。
【００３９】
オゾン除去フィルタ３６０は、フィルタケース３５１内に収容される。オゾン除去フィルタ３６０には、オゾン除去フィルタ２７１と同様、活性炭・触媒フィルタが用いられ得る。なお、吸気口１０１には、吸気口１０１から取り込まれる空気に含まれる埃などを除去するダストフィルタ１２０が設けられる。
【００４０】
ドア５００には、後面における筐体１００の吸気口１０１に対応する位置に複数の通気孔５０１が形成され、底面に空気の取込口５０２が形成される。ドア５００の内部では、取込口５０２と複数の通気孔５０１とが連通する。送風ファン３４０が動作したとき、外部の空気は、取込口５０２、通気孔５０１および吸気口１０１を通じて吸気ダクト３５０内に取り込まれる。
【００４１】
図３を参照し、第２供給ユニット４００は、第２供給ダクト４１０と、スチーム発生装置４２０と、排水装置４３０とを含む。第２供給ダクト４１０は、下部が右方に膨らんだ形状を有する。第２供給ダクト４１０には、上端部に第２供給口２２０の入口に接続される導出口４１１が設けられる。また、第２供給ダクト４１０には、下部の右側面に導入口４１２が設けられる。さらに、第２供給ダクト４１０には、導入口４１２の下方に、その底部を導入口４１２の位置よりも低くすることにより、貯水部４１３が設けられる。貯水部４１３の底面には、排出口４１４が設けられる。
【００４２】
スチーム発生装置４２０は、給水タンク４４０と、給水槽４５０と、ポンプモジュール４６０と、スチーム発生器４７０とを含む。給水タンク４４０には、スチーム発生器４７０に供給される水が溜められる。給水タンク４４０は、筐体１００内において、図示しない給水タンク設置部に着脱可能に設置される。給水タンク４４０が給水タンク設置部に設置されると、その供給口４４１が上方から給水槽４５０の入口４５１に接続される。供給口４４１には開閉弁４４２が設けられ、供給口４４１が入口４５１に接続されると、開閉弁４４２が開いて給水タンク４４０から給水槽４５０に水が供給され、給水槽４５０内全体が水で満たされる。
【００４３】
ポンプモジュール４６０は、ポンプ４６１と、接続ホース４６２と、給水ホース４６３とを含む。ポンプ４６１の吸込口は、接続ホース４６２により給水槽４５０の出口４５２に接続される。ポンプ４６１の吐出口には、給水ホース４６３が接続される。ポンプ４６１は、給水槽４５０内の水を、接続ホース４６２を通じて吸い上げ、給水ホース４６３を通じてスチーム発生器４７０に送る。
【００４４】
スチーム発生器４７０は、本体部４７１と、ヒータ４７２とを含み、第２供給ダクト４１０の導入口４１２に、図示しない断熱部材を介して装着される。本体部４７１は、アルミダイカスト等の金属材料で形成され、内部にスチーム発生室４７３を有する。また、本体部４７１には、スチーム発生室４７３の上方に、給水ホース４６３が接続される給水口４７４が設けられ、スチーム発生室４７３の右方に、第２供給ダクト４１０内に繋がる放出口４７５が設けられる。ヒータ４７２は、本体部４７１に埋め込まれる。
【００４５】
本体部４７１は、ヒータ４７２により加熱されて高温となる。ポンプ４６１により送られた水がスチーム発生室４７３の底面に滴下し蒸発することで高温のスチームが発生する。発生したスチームは、放出口４７５を通じて第２供給ダクト４１０内へ放出される。
【００４６】
排水装置４３０は、排水タンク４８０と、排水ホース４９０とを含む。排水ホース４９０は、上端部に第２供給ダクト４１０の排出口４１４に接続される接続口４９１を有する。接続口４９１には、排出口４１４を塞ぐようにして抵抗板４９２が配置される。抵抗板４９２は、例えば、金属製の目の細かな網板であり、脱臭・除菌運転時に収容室２００内に供給されたオゾンが排水ホース４９０を通じて筐体１００の内部に漏れにくくするためのものである。
【００４７】
排水タンク４８０は、第２供給ダクト４１０内で発生した結露水を回収するための容器である。排水タンク４８０は、筐体１００内において、図示しない排水タンク設置部に着脱可能に設置される。排水タンク４８０が排水タンク設置部に設置されると、その入口４８１が、排水ホース４９０の下端の真下に位置づけられる。
【００４８】
筐体１００の前面には、筐体１００内に設置された給水タンク４４０および排水タンク４８０の正面位置に、これらタンク４４０、４８０の出入口１０２が設けられている。出入口１０２は、開閉可能な蓋１０３で覆われる（図１参照）。ユーザは、ドア５００を開いて蓋１０３を開けることにより、筐体１００内に対して給水タンク４４０および排水タンク４８０を出し入れできる。
【００４９】
図６および図７を参照し、空気循環ユニット６００は、循環ファン６１０と、ルーバー機構６２０とを備える。空気循環ユニット６００は、本発明の空気循環部に相当する。
【００５０】
循環ファン６１０は、クロスフローファンであり、ファン６１１と、ケーシング６１２と、ファンモータ６１３とを含む。ファン６１１は、円筒状に配されたランナー６１１ａを有し、軸方向の寸法が径方向の寸法よりも大幅に大きい。本実施の形態では、ファン６１１の軸方向の寸法は、Ｌサイズのトレーナなど、標準的な大きさの衣類の幅と同程度の大きさとされる。ファン６１１には、中心にファン軸６１４が設けられる。ファン軸６１４の両端部は、ファン６１１の両端面から突出する。
【００５１】
ファン６１１はケーシング６１２内に収容され、ファン軸６１４の両端部がケーシング６１２の両側面に回転可能に支持される。ケーシング６１２には、ファン６１１の前側に上方および前方に開口する吸込口６１５が設けられ、ファン６１１の後側に上方に開口する吐出口６１６が設けられる。吸込口６１５および吐出口６１６の軸方向の寸法はファン６１１の寸法とほぼ同じである。即ち、吸込口６１５および吐出口６１６は、軸方向に長い形状を有する。
【００５２】
ファン軸６１４の右側の端部は、ケーシング６１２の右側の側面を貫通し、さらに、収容室２００の右側面を貫通する。収容室２００の右側面は、空気循環ユニット６００に対応する部分が内側に凹んでおり、その部分の外側にファンモータ６１３が取り付けられる。収容室２００の右側面を貫通したファン軸６１４は、ファンモータ６１３のロータ(図示せず)に連結される。
【００５３】
ファンモータ６１３は、ファン軸６１４を介してファン６１１を回転駆動する。ファン６１１が回転すると、吸込口６１５から空気が吸い込まれ、吸い込まれた空気がファン６１１により送られて吐出口６１６から吹き出す。
【００５４】
ルーバー機構６２０は、ルーバー６２１と、ルーバーモータ６２２とを含む。ルーバー６２１は、本発明の偏向部材に相当し、ルーバーモータ６２２は、本発明の駆動部に相当する。
【００５５】
ルーバー６２１は、循環ファン６１０の軸方向に長い方形状を有し、循環ファン６１０の吐出口６１６よりもやや大きなサイズを有する。ルーバー６２１の左右の両端部には庇部６２３が設けられ、庇部６２３の下端部にルーバー軸６２４が設けられる。循環ファン６１０には、ケーシング６１２の両側面の後上端部に支持部６１７が設けられる。ルーバー６２１の両側のルーバー軸６２４がケーシング６１２の両側の支持部６１７に回転可能に支持される。これにより、ルーバー６２１は、吐出口６１６の上方に位置付けられ、上下方向に揺動可能となる。
【００５６】
ルーバー軸６２４の右側の端部は、右側の支持部６１７を貫通し、さらに、収容室２００の右側面を貫通する。収容室２００の右側面の外側には、ファンモータ６１３の上方にルーバーモータ６２２が取り付けられる。収容室２００の右側面を貫通したルーバー軸６２４は、ルーバーモータ６２２のロータ(図示せず)に連結される。
【００５７】
ルーバーモータ６２２は、所定の回転角だけ正転および反転することにより、ルーバー軸６２４を介してルーバー６２１を揺動させる。循環ファン６１０の吐出口６１６から上方に吹き出した空気がルーバー６２１に接触して偏向される。空気の偏向角度は、揺動するルーバー６２１の角度に従って変化し、空気、即ち風が向かう方向が変化する。
【００５８】
循環ファン６１０、即ち、空気循環ユニット６００は、ファン６１１の軸方向がハンガー台２５０によって吊られた衣類の前後方向と交差する向き、本実施の形態では直交する向きで、収容室２００の底部の後端部に配置される。このとき、循環ファン６１０では、ファン６１１の軸方向における中心が、ハンガー台２５０のポール２５１と同様、収容室２００の左右方向の中央に位置する。
【００５９】
図８は、衣類処理装置１の構成を示すブロック図である。
【００６０】
衣類処理装置１は、上記の構成の他、操作部７０１と、制御部７０２とを備える。
【００６１】
操作部７０１は、運転コースを選択するための選択ボタン、運転を開始させるためのスタートボタン等の操作ボタンを含み、ユーザに操作された操作ボタンに応じた操作信号を制御部７０２に出力する。
【００６２】
制御部７０２は、マイクロコンピュータ、各種のドライバ回路などを含み、第１供給ユニット３００のオゾン発生器３２０、加熱器３３０および送風ファン３４０、第２供給ユニット４００のポンプ４６１およびヒータ４７２、空気循環ユニット６００のファンモータ６１３およびルーバーモータ６２２などを制御する。
【００６３】
本実施の形態の衣類処理装置１では、衣類の脱臭・除菌を行う脱臭・除菌運転と、衣類の乾燥を行う乾燥運転と、衣類のしわを伸ばすしわ伸ばし運転とを行うことができる。
【００６４】
図９は、衣類処理装置１の運転制御を示すフローチャートである。
【００６５】
運転開始の操作が行われると、制御部７０２は、脱臭・除菌運転、乾燥運転およびしわ伸ばし運転のうち、何れの運転が選択されているかを判定する（Ｓ１）。
【００６６】
脱臭・除菌運転が選択されている場合（Ｓ１：脱臭・除菌）、脱臭・除菌運転が開始され、制御部７０２は、脱臭・除菌工程を実行する（Ｓ２）。脱臭・除菌工程では、制御部７０２は、第１供給ユニット３００において、送風ファン３４０とオゾン発生器３２０を動作させる。図５に示すように、外部の空気が吸気口１０１から吸気ダクト３５０に取り込まれ、フィルタケース３５１内のオゾン除去フィルタ３６０により空気に含まれたオゾンが除去される。オゾンが除去された空気が送風ファン３４０により第１供給ダクト３１０内に送り込まれる。
【００６７】
図２に示すように、第１供給ダクト３１０内を流れる空気がオゾン発生器３２０を通過し、この際に、オゾン発生器３２０で発生したオゾンが空気に混入される。こうして、オゾンを含む空気が第１供給ダクト３１０内を通って第１供給口２１０へと至り、第１供給口２１０から収容室２００内に排出される。排出されたオゾンを含む空気は、カバー２４０に当たって周囲に拡がり、その一部は、複数の排出孔２４４から排出され、残りがカバー２４０と収容室２００の底面との間から排出される。こうして、オゾンを含む空気は、カバー２４０により拡散されて上方の衣類へと向かい、広く衣類に当てられる。オゾンの脱臭・除菌作用により衣類が脱臭・除菌される。
【００６８】
衣類の脱臭・除菌によりオゾン濃度が低下した空気は、収容室２００の上部に設けられた排気フィルタユニット２７０のオゾン除去フィルタ２７１と排気口２０２とを通って筐体１００の外へ排出される。オゾン除去フィルタ２７１により空気中のオゾンが除去される。
【００６９】
さらに、脱臭・除菌工程において、制御部７０２は、空気循環ユニット６００において、ファンモータ６１３を駆動して循環ファン６１０を動作させるとともに、ルーバーモータ６２２を駆動してルーバー６２１を上下方向に揺動させる。このとき、ルーバー６２１は、連続的に揺動してもよいし、一往復ないし数往復揺動するごとに、所定時間、停止してもよい。
【００７０】
図７に示すように、収容室２００内のオゾンを含む空気が吸込口６１５からケーシング６１２内に取り込まれ、オゾン風として吐出口６１６から吹き出す。吹き出したオゾン風は、ルーバー６２１で偏向されて衣類へと向かう。このとき、ルーバー６２１が揺動していることによりオゾン風の偏向角度が変化するため、衣類には、様々な方向からオゾン風が接触するようになる。これにより、衣類へのオゾン風の接触効率が良くなり、衣類が脱臭・除菌されやすくなる。また、様々な方向からのオゾン風により衣類が押されることで吊られた衣類が揺らされる。これにより、衣類の袖と胴体との間など、衣類が静止した状態では行き渡りにくい部分に、オゾンを行き渡らせることができる。また、衣類に付着した埃が落ちやすくなる。
【００７１】
所定の脱臭・除菌時間が経過すると、制御部７０２は、オゾン発生器３２０、送風ファン３４０、循環ファン６１０およびルーバー６２１の動作を停止させ、脱臭・除菌工程を終了する。こうして、脱臭・除菌運転が終了する。
【００７２】
一方、制御部７０２は、Ｓ１で乾燥運転が選択されていると判定すると（Ｓ１：乾燥）、乾燥運転を開始し、乾燥工程を実行する（Ｓ３）。乾燥工程では、制御部７０２は、第１供給ユニット３００において、送風ファン３４０と加熱器３３０を動作させる。図２に示すように、送風ファン３４０により取り込まれ第１供給ダクト３１０内を流れる空気は、加熱器３３０で加熱され、乾燥に適する温度（たとえば、６０℃程度）の温風となる。その後、温風は、第１供給口２１０へと至り、第１供給口２１０から収容室２００内に排出される。排出された温風は、オゾンを含む空気と同様、カバー２４０により拡散されて上方の衣類へと向かい、広く衣類に当てられる。これにより、衣類が乾燥する。衣類から水分を奪った温風は、排気口２０２を通って外部に排出される。
【００７３】
さらに、乾燥工程において、制御部７０２は、空気循環ユニット６００において、循環ファン６１０を動作させるとともに、ルーバー６２１を上下方向に揺動させる。図７に示すように、温風の供給により温まった収容室２００内の空気が吸込口６１５からケーシング６１２内に取り込まれ、温風として吐出口６１６から吹き出す。吹き出した温風は、揺動するルーバー６２１で偏向されることにより、様々な方向から衣類に接触する。これにより、衣類への温風の接触効率が良くなり、衣類が乾燥されやすくなる。また、衣類が揺らされることにより、衣類が静止した状態では行き渡りにくい衣類の部分に温風を行き渡らせることができ、また、衣類に付着した埃が落ちやすくなる。
【００７４】
所定の乾燥時間が経過すると、制御部７０２は、加熱器３３０、送風ファン３４０、循環ファン６１０およびルーバー６２１の動作を停止させ、乾燥工程を終了する。こうして、乾燥運転が終了する。
【００７５】
一方、制御部７０２は、Ｓ１でしわ伸ばし運転が選択されていると判定すると（Ｓ１：しわ伸ばし）、しわ伸ばし運転を開始し、準備工程を実行する（Ｓ４）。準備工程では、制御部７０２は、第２供給ユニット４００において、ポンプ４６１を停止させたままスチーム発生器４７０のヒータ４７２を動作させる。これにより、スチーム発生器４７０の本体部４７１の温度が上昇していく。
【００７６】
さらに、準備工程において、制御部７０２は、空気循環ユニット６００において、循環ファン６１０を動作させるとともに、ルーバー６２１を上下方向に揺動させる。図７に示すように、収容室２００内の空気が吸込口６１５からケーシング６１２内に取り込まれ、風として吐出口６１６から吹き出す。吹き出した風は、揺動するルーバー６２１で偏向されることにより、様々な方向から衣類に接触し、衣類を揺らす。これにより、衣類から埃が落ちやすくなる。
【００７７】
スチーム発生器４７０の本体部４７１が十分に高温になると、制御部７０２は、準備工程を終了し、スチーム工程を実行する（Ｓ５）。スチーム工程では、制御部７０２は、ヒータ４７２を引き続き動作させた状態でポンプ４６１を動作させる。図３に示すように、スチーム発生器４７０で高温のスチームが発生し、第２供給ダクト４１０内に放出される。放出されたスチームは、第２供給ダクト４１０内を上昇して第２供給口２２０へと至り、第２供給口２２０から収容室２００内に排出される。排出されたスチームは、カバー２４０に当たって周囲に拡がり、その一部は、複数の排出孔２４４から排出され、残りがカバー２４０と収容室２００の底面との間から排出される。こうして、スチームは、カバー２４０により拡散されて上方の衣類へと向かい、広く衣類に当てられる。スチームが有する水分と熱により、衣類のしわが伸ばされる。
【００７８】
スチームが第２供給ダクト４１０内を流れる際、その一部が結露して結露水が生じ得る。結露水は、下方へ流れて貯水部４１３に溜まり、排出口４１４から排出される。排出された結露水は、排水ホース４９０を通って排水タンク４８０に回収される。このように、本実施の形態では、第２供給ダクト４１０の導入口４１２よりも下方に、結露水が溜められる貯水部４１３が設けられているので、結露水が導入口４１２からスチーム発生器４７０の内部へと流れることが防止される。
【００７９】
さらに、スチーム工程では、引き続き、循環ファン６１０とルーバー６２１が動作する。吐出口６１６から吹き出してルーバー６２１により偏向された風により、衣類が揺らされる。衣類が吊られた状態で揺れると、衣類に遠心力等の力が加わりやすくなる。これにより、スチームが当てられた衣類の表面が伸ばされやすくなるので、衣類のしわが伸びやすくなる。また、衣類がスチームで濡らされているために準備工程での乾いた状態ほどではないが、衣類が揺らされることで、衣類に付着した埃が落ち得る。
【００８０】
所定のスチーム供給時間が経過すると、制御部７０２は、ヒータ４７２とポンプ４６１を停止させて、スチーム工程を終了する。
【００８１】
次に、制御部７０２は、乾燥工程を実行する（Ｓ６）。乾燥工程は、乾燥運転における乾燥運転と同様であり、送風ファン３４０と加熱器３３０が動作し、循環ファン６１０とルーバー６２１も引き続き動作する。これにより、スチームによって湿った衣類が乾燥する。なお、しわ伸ばし運転での乾燥工程の乾燥時間は、しわ伸ばし運転に適したものとされ、乾燥運転の乾燥時間とは異なるものとされ得る。
【００８２】
乾燥工程が終了すると、制御部７０２は、換気工程を実行する（Ｓ７）。即ち、制御部７０２は、乾燥工程に引き続いて循環ファン６１０とルーバー６２１を動作させたままとする。収容室２００内の空気が吸込口６１５から取り込まれ、吐出口６１６から収容室２００内に吹き出すことにより、外部の空気が、第１供給ユニット３００の吸気ダクト３５０および第１供給ダクト３１０を通じて第１供給口２１０から収容室２００内に取り込まれ、収容室２００内の空気が排気口２０２を通じて外部に排出される。これにより、収容室２００内が換気され、収容室２００内の内壁などが、スチームにより湿っていても乾かされる。
【００８３】
所定の換気時間が経過すると、制御部７０２は、循環ファン６１０とルーバー６２１の動作を停止させ、換気工程を終了する。こうして、しわ伸ばし運転が終了する。
【００８４】
なお、衣類処理装置１において、脱臭・除菌運転、乾燥運転、しわ伸ばし運転の他、たとえば、乾燥に続いて脱臭・除菌が行われる乾燥・脱臭・除菌運転が行われてもよい。
【００８５】
＜実施の形態の効果＞
以上、本実施の形態によれば、衣類を乾燥させる際に、空気循環ユニット６００を動作させることにより、収容室２００内の衣類に様々な方向から温風を接触させることができる。これにより、衣類への温風の接触効率が良くなり、衣類が乾きやすくなる。また、様々な方向からの温風により衣類が揺らされるので、衣類が静止した状態では行き渡りにくい衣類の部分に温風を行き渡らせることができ、また、衣類に付着した埃が落ちやすくなる。
【００８６】
また、本実施の形態によれば、衣類にスチームを掛けてしわを伸ばす際に、空気循環ユニット６００を動作させることにより、収容室２００の衣類を揺らすことができる。これにより、衣類のしわが伸びやすくなり、また、衣類に付着した埃が落ち得る。
【００８７】
さらに、本実施の形態によれば、衣類をオゾンにより脱臭・除菌する際に、空気循環ユニット６００を動作させることにより、収容室２００内の衣類に様々な方向からオゾン風を接触させることができる。これにより、衣類へのオゾン風の接触効率が良くなり、衣類が脱臭・除菌されやすくなる。また、様々な方向からのオゾン風により衣類が揺らされるので、衣類が静止した状態では行き渡りにくい衣類の部分にオゾンを行き渡らせることができ、また、衣類に付着した埃が落ちやすくなる。
【００８８】
さらに、本実施の形態によれば、循環ファン６１０が、円筒状に配されたランナー６１１ａを有し軸方向の寸法が径方向の寸法よりも大きなファン６１１を含むクロスフローファンとされ、ファン６１１の軸方向がハンガー台２５０により吊られた衣類の前後方向と交差する向きで収容室２００の底部に配される。これにより、図６に示すように、衣類の左右方向、即ち幅方向に広くなるように、衣類へ風を向かわせることができるので、衣類により良く風を接触させることができ、衣類をより良く乾燥させたり、衣類のしわをより良く伸ばしたりすることができる。
【００８９】
以上、本発明の実施の形態について説明したが、本発明は、上記実施の形態によって何ら制限されるものではなく、また、本発明の実施の形態も、上記以外に種々の変更が可能である。
【００９０】
＜変更例１＞
図１０は、変更例１に係る、空気循環ユニット６００Ａの前方位置で切断した、衣類処理装置１の要部の正面断面図である。図１１は、変更例１に係る、衣類処理装置１の要部の側面断面図である。
【００９１】
上記実施の形態の空気循環ユニット６００を、本変更例の空気循環ユニット６００Ａに置き換えることができる。なお、空気循環ユニット６００Ａにおいて、上記実施の形態の空気循環ユニット６００と同じ構成については、同じ符号が付されている。
【００９２】
空気循環ユニット６００Ａは、循環ファン６１０Ａと、ルーバー機構６２０とを備える。空気循環ユニット６００Ａは、本発明の空気循環部に相当する。
【００９３】
循環ファン６１０Ａは、ファン６１１と、ケーシング６３１と、ファンモータ６１３と、フィルタケース６３２と、フィルタ６３３とを含む。ケーシング６３１には、ファン６１１の前側に、前方に開口する開口部６３４が設けられ、この開口部６３４が、フィルタケース６３２により覆われる。
【００９４】
フィルタケース６３２は、後面が開口する長方形の箱状を有する。フィルタケース６３２の前面には、長方形状の吸込口６３５が設けられる。吸込口６３５は、収容室２００の底面に沿う方向に開口し、その下端が収容室２００の底面より僅かに高くなっている。吸込口６３５には、格子状に走る複数の桟６３５ａが設けられる。
【００９５】
フィルタケース６３２の前面には、吸込口６３５の下に傾斜部６３６が設けられる。傾斜部６３６は、収容室２００の底面から吸込口６３５の下端へ向かって上る傾斜面を有する。
【００９６】
フィルタ６３３は、フィルタケース６３２内に収容される。フィルタ６３３は、循環ファン６１０Ａにおいて、吸込口６３５とファン６１１との間に位置し、空気とともに吸込口６３５から吸い込まれた埃を捕集する。
【００９７】
図１２は、変更例１に係る、衣類処理装置１の運転制御を示すフローチャートである。
【００９８】
本変更例では、脱臭・除菌運転の脱臭・除菌工程（Ｓ２）、乾燥運転の乾燥工程（Ｓ３）、並びに、しわ伸ばし運転の準備工程（Ｓ４）、スチーム工程（Ｓ５）、乾燥工程（Ｓ６）および換気工程（Ｓ７）において、空気循環ユニット６００、即ち、循環ファン６１０Ａおよびルーバー６２１が動作したとき、衣類が揺らされることにより、衣類に付着した埃が収容室２００の底面に落ちる。
【００９９】
本変更例では、循環ファン６１０Ａは、その吸込口６３５が、収容室２００の底面に接近した位置において当該底面に沿う方向に開口する。このため、図１１に示すように、収容室２００の底面に落ちた埃が、収容室２００の底面に沿って吸込口６３５へと流れる空気とともに吸込口６３５に吸い込まれやすくなる。そして、吸込口６３５に吸い込まれた埃は、フィルタ６３３に捕集される。このとき、吸込口６３５の下端は収容室２００の底面より高くされているが、吸込口６３５の前方には傾斜部６３６が設けられているので、埃は傾斜部６３６の傾斜面を移動して円滑に吸込口６３５に取り込まれる。
【０１００】
また、本変更例では、脱臭・除菌運転および乾燥工程において、制御部７０２は、それぞれ、脱臭・除菌工程および乾燥工程の後に清掃工程を実行する（Ｓ１１、Ｓ１２）。清掃工程では、制御部７０２は、空気循環ユニット６００において、循環ファン６１０Ａおよびルーバー６２１を、所定の清掃時間だけ動作させる。衣類に付着した埃は、脱臭・除菌工程や乾燥工程において概ね落とされる。このため、清掃工程では、衣類から落とされる埃は少なく、主として、収容室２００の底面に落とされている埃が、吸込口６３５から吸い込まれてフィルタ６３３で回収されることになる。よって、このような清掃工程が脱臭・除菌運転および乾燥運転に設けられることにより、収容室２００の底面に落ちた埃の回収効果が高まる。なお、しわ伸ばし運転では、換気工程が清掃工程を兼ねることになる。
【０１０１】
なお、清掃工程（Ｓ１１、Ｓ１２）において、ルーバー６２１が揺動されないようにして、衣類が揺れにくいようにすることもできる。
【０１０２】
以上、本変更例によれば、収容室２００の底面に落ちた埃を、循環ファン６１０Ａに配されたフィルタ６３３によって回収することができるので、収容室２００の底面に埃が溜まった状態になりにくくなる。
【０１０３】
＜その他の変更例＞
上記実施の形態では、第１供給ユニット３００からオゾンおよび温風の双方が収容室２００内に供給された。しかしながら、衣類処理装置１に、オゾンを供給するオゾン供給ユニットと温風を供給する温風供給ユニットとが別個に設けられてもよい。
【０１０４】
また、上記実施の形態では、衣類処理装置１は、脱臭・除菌運転が行われるものであった。しかしながら、衣類処理装置１は、脱臭・除菌運転が行われないものであってもよく、第１供給ユニット３００にオゾン発生器３２０が配されないようにされてもよい。
【０１０５】
さらに、第２供給ユニット４００のスチーム発生器４７０は、高温にされたスチーム発生室４７３の底面にポンプ４６１で送られた水を落として蒸発させることによりスチームを発生させる構成であった。しかしながら、スチーム発生器４７０は、上記の構成に限られるものではなく、たとえば、水が溜められた水槽を加熱して水を沸騰させることによりスチームを発生させる構成であってもよい。
【０１０６】
さらに、上記実施の形態では、衣類処理装置１は、筐体１００の吸気口１０１から外部の空気が取り込まれ、収容室２００の排気口２０２から空気が外部へ排出される排気式のものであった。しかしながら、衣類処理装置１は、収容室２００の排気口２０２と筐体１００の吸気口１０１とが所定の風路で連結されるような循環式とされてもよい。
【０１０７】
さらに、上記実施の形態では、空気循環ユニット６００は、収容室２００内の底部に配された。しかしながら、空気循環ユニット６００は、収容室２００内の底部以外の部分に配されてもよい。また、空気循環ユニット６００は、収容室２００の外部における底部や底部以外の部分に設けられてもよい。
【０１０８】
さらに、本実施の形態では、循環ファン６１０として、クロスフローファンが用いられたが、シロッコファン等、クロスフローファン以外のものが用いられてもよい。
【０１０９】
この他、本発明の実施の形態は、特許請求の範囲に示された技術的思想の範囲内において、適宜、種々の変更が可能である。
【符号の説明】
【０１１０】
１  衣類処理装置
２００  収容室
２５０  ハンガー台（保持部）
３００  第１供給ユニット（温風供給部、オゾン供給部）
４００  第２供給ユニット（スチーム供給部）
６００  空気循環ユニット（空気循環部）
６１０  循環ファン
６１１  ファン
６１１ａ  ランナー
６１５  吸込口
６１６  吐出口
６２１  ルーバー（偏向部材）
６２２  ルーバーモータ（駆動部）
６００Ａ  空気循環ユニット（空気循環部）
６１０Ａ  循環ファン
６３３  フィルタ
６３５  吸込口
６３６  傾斜部
【図１】
2020103367.tif 000003
【図２】
2020103367.tif 000004
【図３】
2020103367.tif 000005
【図４】
2020103367.tif 000006
【図５】
2020103367.tif 000007
【図６】
2020103367.tif 000008
【図７】
2020103367.tif 000009
【図８】
2020103367.tif 000010
【図９】
2020103367.tif 000011
【図１０】
2020103367.tif 000012
【図１１】
2020103367.tif 000013
【図１２】
2020103367.tif 000014